(57)【要約】【課題】第１フレームに歪みが生じた場合においても、第１フレームの第２フレームに対する位置決め精度を確保することができるカートリッジを提供すること。【解決手段】  感光ドラム２０を備えるドラムカートリッジ１８において、感光ドラム２０に対して下側に対向配置されるベースフレーム５２と、感光ドラム２０に対して上側に対向配置されるカバーフレーム５３とを、感光ドラム２０の回転方向において互いに略９０°ずれる位置で位置決めする。【選択図】図１０
2014016491.tif 000002
【特許請求の範囲】
【請求項１】
第１軸線を有し、前記第１軸線を回転中心として回転するように構成され、かつ、現像剤像を担持するように構成される像担持体と、
前記像担持体に対して、前記第１軸線と直交する直交方向における一方側に対向配置される第１フレームと、
前記像担持体に対して、前記直交方向における他方側に対向配置され、前記第１フレームに組み合わされる第２フレームと
を備え、
前記第１フレームは、
前記第１軸線が延びる軸線方向における一方側端部に設けられる第１被位置決め部と、
前記軸線方向における他方側端部に設けられる第２被位置決め部と
を備え、
前記第２フレームは、
前記軸線方向における一方側端部に設けられ、前記第１フレームの前記第１被位置決め部と当接する第１位置決め部と、
前記軸線方向における他方側端部に設けられ、前記第１フレームの前記第２被位置決め部と当接する第２位置決め部と
を備え、
前記第１位置決め部と前記第２位置決め部とは、前記軸線方向に投影されたときに、前記像担持体の回転方向において、互いに略９０°ずれるように配置される
ことを特徴とする、カートリッジ。
【請求項２】
前記像担持体に対して圧接される転写部材をさらに備え、
前記第１フレームは、前記像担持体を回転可能に支持し、
前記第１位置決め部は、前記第１被位置決め部に対して前記転写部材の圧接方向における下流側に対向配置される
ことを特徴とする、請求項１に記載のカートリッジ。
【請求項３】
前記像担持体の前記軸線方向における一方側端部に相対回転不能に設けられ、外部からの駆動力が入力される受動部材をさらに備える
ことを特徴とする、請求項２に記載のカートリッジ。
【請求項４】
前記第１フレームは、その前記軸線方向における一方側端部および前記軸線方向における他方側端部の少なくともいずれか一方において、前記直交方向における一方側へ突出する突出部を備え、
前記突出部は、前記軸線方向から見て、前記第１軸線を中心とする半円形状に形成され、その径方向中央において前記像担持体を回転可能に支持する
ことを特徴とする、請求項１〜３のいずれか一項に記載のカートリッジ。
【発明の詳細な説明】
【技術分野】
【０００１】
本発明は、電子写真方式が採用される画像形成装置に装着されるカートリッジに関する。
【背景技術】
【０００２】
電子写真方式が採用される画像形成装置に装着されるカートリッジとして、感光体を有し、現像剤を収容する現像カートリッジを着脱できる感光体カートリッジが知られている。
【０００３】
このような感光体カートリッジとして、例えば、スコロトロン型帯電器およびクリーニング部材が組み付けられた上側筐体が、感光ドラムが組み付けられた下側筐体に対して上方から被せられるように組み付けられるドラムカートリッジが提案されている（たとえば、特許文献１参照。）。
【先行技術文献】
【特許文献】
【０００４】
【特許文献１】特開２００６−３０８８０２号公報
【発明の概要】
【発明が解決しようとする課題】
【０００５】
しかるに、上記した特許文献１に記載のドラムカートリッジでは、上側筐体が左右方向に長手に形成されている。
【０００６】
そのため、上側筐体に、左右方向における反りやねじれなどの意図しない歪みが発生する場合がある。
【０００７】
上側筐体が歪むと、上側筐体の下側筺体に対する位置決め精度が低下し、転写ローラやスコロトロン型帯電器の感光ドラムに対する位置決め精度を確保することが困難となる場合がある。
【０００８】
そこで、本発明の目的は、第１フレームに歪みが生じた場合においても、第１フレームの第２フレームに対する位置決め精度を確保することができるカートリッジを提供することにある。
【課題を解決するための手段】
【０００９】
（１）上記した課題を解決するため、本発明のカートリッジは、第１軸線を有し、第１軸線を回転中心として回転するように構成され、かつ、現像剤像を担持するように構成される像担持体と、像担持体に対して、第１軸線と直交する直交方向における一方側に対向配置される第１フレームと、像担持体に対して、直交方向における他方側に対向配置され、第１フレームに組み合わされる第２フレームとを備える。
【００１０】
第１フレームは、第１軸線が延びる軸線方向における一方側端部に設けられる第１被位置決め部と、軸線方向における他方側端部に設けられる第２被位置決め部とを備える。
【００１１】
第２フレームは、軸線方向における一方側端部に設けられ、第１フレームの第１被位置決め部と当接する第１位置決め部と、軸線方向における他方側端部に設けられ、第１フレームの第２被位置決め部と当接する第２位置決め部とを備える。
【００１２】
第１位置決め部と第２位置決め部とは、軸線方向に投影されたときに、像担持体の回転方向において、互いに略９０°ずれるように配置される。
【００１３】
このような構成によれば、像担持体の回転方向において、互いに略９０°ずれる位置において、第１フレームの軸線方向両端部のそれぞれを、第２フレームの軸線方向両端部のそれぞれに対して位置決めすることができる。
【００１４】
そのため、第１フレームが反りやねじれなどの意図しない歪みを生じた場合に、その歪みを矯正するように、互いに略直交する２つの方向において、第１フレームを第２フレームに対して位置決めすることができる。
【００１５】
その結果、第１フレームに歪みが生じた場合においても、第１フレームの第２フレームに対する位置決め精度を確保することができる。
（２）また、本発明のカートリッジは、像担持体に対して圧接される転写部材をさらに備えてもよい。また、第１フレームは、像担持体を回転可能に支持してもよい。
【００１６】
この場合、第１位置決め部は、第１被位置決め部に対して転写部材の圧接方向における下流側に対向配置されてもよい。
【００１７】
このような構成によれば、転写部材の像担持体に対する圧接力を利用して、第１被位置決め部を、第１位置決め部に位置決めすることができる。
【００１８】
そのため、第１フレームの軸線方向両端部の少なくとも一方を、第２フレームに対して確実に位置決めすることができる。
（３）また、本発明のカートリッジは、像担持体の軸線方向における一方側端部に相対回転不能に設けられ、外部からの駆動力が入力される受動部材をさらに備えてもよい。
【００１９】
このような構成によれば、第１位置決め部が設けられている軸線方向一方側において、像担持体に駆動力を入力することができる。
【００２０】
そのため、軸線方向一方側における第１フレームと第２フレームとの位置決め精度を確保した上で、像担持体の軸線方向一方側端部に駆動力を入力することができる。
【００２１】
その結果、像担持体に対する駆動入力に起因して第１フレームと第２フレームとががたつくことを防止できる。
（４）また、第１フレームは、その軸線方向における一方側端部および軸線方向における他方側端部の少なくともいずれか一方において、直交方向における一方側へ突出する突出部を備えてもよい。
【００２２】
この場合、突出部は、軸線方向から見て、第１軸線を中心とする半円形状に形成され、その径方向中央において像担持体を回転可能に支持してもよい。
【００２３】
このような構成によれば、像担持体を、第１フレームの突出部に回転可能に支持することができる。
【００２４】
そのため、突出部の周方向において均一に、像担持体に対する摩擦力を発生させることができ、像担持体の回転速度を一定に保つことができる。
【発明の効果】
【００２５】
本発明のカートリッジによれば、第１フレームに歪みが生じた場合においても、第１フレームの第２フレームに対する位置決め精度を確保することができる。
【図面の簡単な説明】
【００２６】
【図１】図１は、本発明のカートリッジの一実施形態としてのドラムカートリッジを備えるプリンタの中央断面図である。
【図２】図２は、図１に示すドラムカートリッジの右前側から見た分解斜視図である。
【図３】図３は、図１に示すドラムカートリッジの左後側から見た分解斜視図である。
【図４】図４は、図１に示すドラムカートリッジの左下側から見た斜視図である。
【図５】図５は、図３に示すカバーフレームの右下側から見た斜視図である。
【図６】図６は、図５に示すカバーフレームの左後側から見た斜視図である。
【図７】図７は、図２に示すドラムカートリッジの平面図であって、カバーフレームを外した状態を示す。
【図８】図８は、図１に示すドラムカートリッジの後面図である。
【図９】図９は、図１に示すドラムカートリッジの右側面図である。
【図１０】図１０は、図１に示すドラムカートリッジの左側面図である。
【発明を実施するための形態】
【００２７】
１．プリンタ
図１に示すように、プリンタ１は、略ボックス形状の本体ケーシング２を備えている。
【００２８】
また、プリンタ１は、本体ケーシング２内において、用紙Ｓを給紙するための給紙部３と、給紙された用紙Ｓに画像を形成するための画像形成部４とを備えている。
【００２９】
なお、プリンタ１に関し、方向について言及する場合には、水平方向に載置したときの方向を基準とし、具体的には、図中の矢印方向を基準とする。
（１）本体ケーシング
本体ケーシング２には、プロセスカートリッジ１５（後述）を着脱するためのカートリッジ開口部５と、用紙Ｓを導入するための用紙開口部６とが形成されている。
【００３０】
カートリッジ開口部５は、本体ケーシング２の上端部において、上下方向に貫通形成されている。
【００３１】
用紙開口部６は、本体ケーシング２の前端部における下端部において、前後方向に貫通形成されている。
【００３２】
また、本体ケーシング２には、その上端部に、トップカバー７が設けられ、その前端部に、給紙カバー８が設けられている。
【００３３】
トップカバー７は、その後端部を支点として、カートリッジ開口部５を閉鎖する閉鎖位置と、カートリッジ開口部５を開放する開放位置とに揺動（移動）可能に設けられている。
【００３４】
給紙カバー８は、その下端部を支点として、用紙開口部６を閉鎖する第１位置と、用紙開口部６を開放する第２位置とに揺動（移動）可能に設けられている。
（２）給紙部
給紙部３は、本体ケーシング２の底部に設けられる用紙載置部９を備えている。
【００３５】
用紙載置部９は、用紙開口部６を介して、本体ケーシング２の外部と連通されている。
【００３６】
そして、用紙Ｓは、給紙カバー８が第２位置に配置された状態において、その前側部分が給紙カバー８の上面にスタックされるとともに、その後側部分が用紙開口部６を介して用紙載置部９内にスタックされる。
【００３７】
また、給紙部３は、用紙載置部９の後端部上側に配置されるピックアップローラ１１と、ピックアップローラ１１の後側に配置される給紙ローラ１２と、給紙ローラ１２の後下側に対向配置される給紙パッド１３と、給紙パッド１３の後端部から連続して上方に向かって延びる給紙パス１４とを備えている。
（３）画像形成部
画像形成部４は、プロセスカートリッジ１５と、スキャナユニット１６と、定着ユニット１７とを備えている。
（３−１）プロセスカートリッジ
プロセスカートリッジ１５は、本体ケーシング２に対して着脱可能に構成され、給紙部３の後側部分の上側において、本体ケーシング２に装着されている。
【００３８】
プロセスカートリッジ１５は、本体ケーシング２に対して着脱可能に構成されるカートリッジの一例としてのドラムカートリッジ１８と、そのドラムカートリッジ１８に着脱可能に構成される現像カートリッジ１９とを備えている。
【００３９】
ドラムカートリッジ１８は、像担持体の一例としての感光ドラム２０と、転写部材の一例としての転写ローラ２１と、スコロトロン型帯電器２２とを備えている。
【００４０】
感光ドラム２０は、左右方向（軸線方向）に長手の略円筒形状に形成されており、ドラムカートリッジ１８の後側部分に設けられている。感光ドラム２０は、その中心軸線Ａ（第１軸線）を回転中心として回転可能である。
【００４１】
転写ローラ２１は、左右方向に延びる略円柱形状に形成され、感光ドラム２０に対して後側から圧接されている。
【００４２】
詳しくは、転写ローラ２１は、その中心軸線が感光ドラム２０の中心軸線Ａよりも僅かに下側に位置するように、感光ドラム２０の後側に配置されている。なお、転写ローラ２１の下端縁は、感光ドラム２０の下端縁よりも上側に配置されている。具体的には、転写ローラ２１の中心軸線と感光ドラム２０の中心軸線Ａとを結ぶ仮想の線分（図示せず）と、前後方向に沿って水平に延びる仮想の直線（図示せず）とが形成する鋭角の角度は、約３°である。そのため、転写ローラ２１が感光ドラム２０に対して圧接される圧力（転写圧）には、転写ローラ２１の自重が影響しない。
【００４３】
スコロトロン型帯電器２２は、感光ドラム２０の前上側に間隔を隔てて対向配置されている。
【００４４】
詳しくは、スコロトロン型帯電器２２は、転写ローラ２１に対して、感光ドラム２０の周方向に間隔を隔てて配置されており、感光ドラム２０の中心軸線Ａと転写ローラ２１の中心軸線とを結ぶ仮想の線分（図示せず）と、感光ドラム２０の中心軸線Ａと帯電ワイヤ２３（後述）とを結ぶ仮想の線分（図示せず）とが形成する角の角度が約１２０°となるように配置されている。
【００４５】
また、スコロトロン型帯電器２２は、帯電ワイヤ２３と、グリッド２４とを備えている。
【００４６】
帯電ワイヤ２３は、左右方向に延びるように張設され、感光ドラム２０の前上側に間隔を隔てて対向配置されている。
【００４７】
グリッド２４は、前上側に向かって開放された側面視略Ｕ字形状に形成され、帯電ワイヤ２３を後下側から囲うように設けられている。
【００４８】
現像カートリッジ１９は、感光ドラム２０の前下側に配置されており、現像フレーム２５を備えている。
【００４９】
現像フレーム２５内には、トナー収容室２６と、現像室２７とが前後に並んで形成されている。トナー収容室２６と現像室２７とは、それらの容積がそれぞれ略同じに形成され、連通口２８により連通されている。
【００５０】
トナー収容室２６には、トナー（現像剤）が収容され、その前後上下方向略中央部分には、アジテータ２９が設けられている。つまり、アジテータ２９は、感光ドラム２０よりも下側に配置されている。
【００５１】
現像室２７には、その下壁の内面（上面）において、供給ローラ溝３０と、現像ローラ対向面３１と、ロアフィルム貼着面３２とが形成されている。
【００５２】
供給ローラ溝３０は、供給ローラ３３（後述）の周面に沿う略半円形状であって、後下方に向かって窪むように形成されている。
【００５３】
現像ローラ対向面３１は、現像ローラ３４（後述）の周面に沿う略円弧形状であって、供給ローラ溝３０の後端部から連続して後上側に延びるように形成されている。
【００５４】
ロアフィルム貼着面３２は、現像ローラ対向面３１の後端部から連続して後方に向かって延びるように形成されている。つまり、ロアフィルム貼着面３２は、現像ローラ対向面３１よりも上側に配置されている。
【００５５】
また、ロアフィルム貼着面３２は、感光ドラム２０の下側部分に対して上下方向に間隔を隔てて対向配置されており、上下方向（直交方向）に投影したときに、感光ドラム２０の中心軸線Ａと重なるように配置されている。
【００５６】
また、現像室２７には、供給ローラ３３と、現像ローラ３４と、層厚規制ブレード３５と、ロアフィルム３６とが設けられている。
【００５７】
供給ローラ３３は、左右方向に延びる略円柱形状に形成され、その下側部分が供給ローラ溝３０内に配置されるように、現像室２７の前側部分に設けられている。供給ローラ３３は、その中心軸線を回転中心として回転可能である。これにより、供給ローラ３３は、トナー収容室２６の後側に配置されており、上下方向においてトナー収容室２６と略同じ高さ（トナー収容室２６よりもわずかに上側）に配置されている。
【００５８】
現像ローラ３４は、左右方向に延びる略円柱形状に形成され、その下側部分における周面と現像ローラ対向面３１とが互いに間隔を隔てて対向するように、現像室２７の後側部分に設けられている。現像ローラ３４は、その中心軸線を回転中心として回転可能である。
【００５９】
また、現像ローラ３４は、供給ローラ３３に後上側から接触するとともに、その上側および後側部分が現像室２７から露出されるように設けられ、感光ドラム２０に対して前下側から接触している。つまり、現像ローラ３４は、供給ローラ３３の後上側に配置されるとともに、感光ドラム２０の前下側に配置されている。そして、供給ローラ３３の中心軸線、現像ローラ３４の中心軸線および感光ドラム２０の中心軸線Ａは、感光ドラム２０の径方向に沿う略同一直線上に位置されている。
【００６０】
また、現像ローラ３４は、スコロトロン型帯電器２２に対して、感光ドラム２０の周方向に間隔を隔てて配置されており、感光ドラム２０の中心軸線Ａと帯電ワイヤ２３とを結ぶ仮想の線分（図示せず）と、感光ドラム２０の中心軸線Ａと現像ローラ３４の中心軸線とを結ぶ仮想の線分（図示せず）とが形成する角の角度が約１２０°となるように配置されている。つまり、現像ローラ３４、スコロトロン型帯電器２２および転写ローラ２１のそれぞれは、感光ドラム２０の周方向において略等間隔を隔てて配置されている。
【００６１】
層厚規制ブレード３５は、その上端部が、現像室２７の上壁の後端部に固定され、その下端部が、現像ローラ３４に前側から接触されている。
【００６２】
ロアフィルム３６は、その後側部分がロアフィルム貼着面３２に固定され、その前端部が、現像ローラ対向面３１の上側において、現像ローラ３４の周面と接触されている。
（３−２）スキャナユニット
スキャナユニット１６は、プロセスカートリッジ１５の前側において、感光ドラム２０と前後方向に間隔を隔てて対向するように配置されている。
【００６３】
スキャナユニット１６は、感光ドラム２０に向けて、画像データに基づいて、レーザービームＬを出射し、感光ドラム２０の周面を露光する。
【００６４】
詳しくは、レーザービームＬは、スキャナユニット１６から後側に向かって出射され、感光ドラム２０の前端部における周面を露光する。つまり、感光ドラム２０が露光される露光点（感光ドラム２０の前端部における周面）は、感光ドラム２０の中心軸線Ａに対して、感光ドラム２０と転写ローラ２１とが接触するニップ部分の反対側に設定されている。
【００６５】
このとき、現像カートリッジ１９は、レーザービームＬの出射軌跡よりも下側に配置され、スコロトロン型帯電器２２は、レーザービームＬの出射軌跡よりも上側に配置されている。
【００６６】
なお、スキャナユニット１６と感光ドラム２０との間に対応する本体ケーシング２の内側面には、プロセスカートリッジ１５の着脱を案内するガイド部３７が設けられている。そして、プロセスカートリッジ１５が本体ケーシング２から離脱されるときには、プロセスカートリッジ１５がガイド部３７にガイドされることにより、ドラムカートリッジ１８に装着される現像カートリッジ１９が、レーザービームＬの出射軌跡を下側から上側に向かって通過する。
【００６７】
このとき、プロセスカートリッジ１５に設けられる各種ローラ（転写ローラ２１、供給ローラ３３および現像ローラ３４）も、レーザービームＬの出射軌跡を下側から上側に向かって通過する。
（３−３）定着ユニット
定着ユニット１７は、ドラムカートリッジ１８の後側部分の上側に配置されている。詳しくは、定着ユニット１７は、スコロトロン型帯電器２２の上側に配置される加熱ローラ３８と、加熱ローラ３８に対して後上側から圧接される加圧ローラ３９とを備えている。
【００６８】
つまり、加熱ローラ３８は、スコロトロン型帯電器２２のグリッド２４の上端部（開放側端部）近傍に配置されている。
（４）画像形成動作
現像カートリッジ１９のトナー収容室２６内のトナーは、アジテータ２９の回転により、連通口２８を介して、供給ローラ３３に供給され、さらに、現像ローラ３４に供給され、供給ローラ３３と現像ローラ３４との間で正極性に摩擦帯電される。
【００６９】
現像ローラ３４に供給されたトナーは、現像ローラ３４の回転に伴って、層厚規制ブレード３５によって厚さが規制され、一定厚さの薄層として現像ローラ３４の表面に担持される。
【００７０】
一方、感光ドラム２０の表面は、スコロトロン型帯電器２２によって一様に帯電された後、スキャナユニット１６によって露光される。これにより、感光ドラム２０の周面には、画像データに基づく静電潜像が形成される。そして、現像ローラ３４に担持されるトナーが感光ドラム２０の周面上の静電潜像に供給されることにより、感光ドラム２０の周面上にトナー像（現像剤像）が担持される。
【００７１】
用紙載置部９にスタックされた用紙Ｓは、ピックアップローラ１１の回転により、給紙ローラ１２と給紙パッド１３との間に送られ、給紙ローラ１２の回転により１枚ずつ捌かれる。その後、捌かれた用紙Ｓは、給紙ローラ１２の回転により、給紙パス１４に搬送されて、所定のタイミングで１枚ずつ、画像形成部４（感光ドラム２０（後述）と転写ローラ２１（後述）との間）に給紙される。
【００７２】
そして、用紙Ｓは、感光ドラム２０と転写ローラ２１との間を下側から上側に向かって搬送される。このとき、用紙Ｓに、トナー像が転写され、画像が形成される。
【００７３】
そして、用紙Ｓは、加熱ローラ３８と加圧ローラ３９との間を通過するときに加熱および加圧される。このとき、用紙Ｓには、画像が熱定着される。
【００７４】
その後、用紙Ｓは、排紙ローラ４０に向けて搬送され、排紙ローラ４０によって、本体ケーシング２の上面に形成された排紙トレイ４１上に排紙される。
【００７５】
このように用紙Ｓは、用紙載置部９から給紙され、感光ドラム２０と転写ローラ２１との間（ニップ部分）を通過し、次いで、加熱ローラ３８と加圧ローラ３９との間を通過した後、排紙トレイ４１上に排紙されるように、側面視略Ｃ字状の搬送パスを搬送される。
２．ドラムカートリッジ
図２および図３に示すように、ドラムカートリッジ１８は、ドラムフレーム５１を備えている。
【００７６】
ドラムフレーム５１は、第２フレームの一例としてのベースフレーム５２と、第１フレームの一例としてのカバーフレーム５３とを備えている。
【００７７】
なお、以下のドラムカートリッジ１８の説明において、方向について言及するときには、感光ドラム２０が配置されている側をドラムカートリッジ１８の後側とし、スコロトロン型帯電器２２が配置されている側を上側とする。すなわち、ドラムカートリッジ１８に関する上下前後方向は、プリンタ１に関する上下前後方向と若干異なり、ドラムカートリッジ１８は、その後側がプリンタ１の後上側、その前側がプリンタ１の前下側となるように、プリンタ１に装着されている。
（１）ベースフレーム
ベースフレーム５２は、平面視略矩形の有底枠形状に形成されている。ベースフレーム５２は、左右１対の側壁５４、下壁５５、後壁５７および前壁５６を備えている。
【００７８】
右側の側壁５４（以下、右壁５４Ｒとする。）は、前後方向に長手の略平板形状に形成されている。右壁５４Ｒの後端部には、嵌合凹部６０と、対向部５９と、第２位置決め部の一例としての受け部６１とが形成されている。
【００７９】
嵌合凹部６０は、右壁５４Ｒの上端縁から下側へ向かって切り欠かれるように、上側が開放された側面視略半円形状に形成されている。
【００８０】
対向部５９は、右壁５４Ｒの左側半分において、嵌合凹部６０の内周面および右壁５４Ｒの上端縁から上側へ延びる略平板形状に形成されている。対向部５９には、ドラム軸挿通穴６２が形成されている。
【００８１】
ドラム軸挿通穴６２は、嵌合凹部６０の中心に対応するように、対向部５９の前後方向中央に配置され、側面視略円形状に貫通形成されている。ドラム軸挿通穴６２の内径は、感光ドラム２０のドラム軸８０の外径よりもわずかに大径（ほぼ同径）である。
【００８２】
受け部６１は、嵌合凹部６０の前側において、右壁５４Ｒの右側半分の上端縁から上側へ向かってわずかに膨出するように、上面が前後方向に延びる側面視略矩形状に形成されている。
【００８３】
左側の側壁５４（以下、左壁５４Ｌとする。）は、前後方向に長手の略平板形状に形成されている。左壁５４Ｌの後端部には、嵌合凹部６３と、突出部６６と、対向部６４と、ドラムギア露出部６９とが形成されている。
【００８４】
嵌合凹部６３は、左壁５４Ｌの上端縁から下側へ向かって切り欠かれるように、上側が開放された側面視略矩形状に形成されている。
【００８５】
突出部６６は、嵌合凹部６３の前側周縁部から上側へ向かって突出する側面視略矩形の平板形状に形成されている。突出部６６には、第１位置決め部の一例としての受け部６５が設けられている。
【００８６】
受け部６５は、突出部６６の上下方向略中央において、その左側半分の後端縁から後側へ向かってわずかに膨出するように、後面が上下方向に延びる側面視略矩形状に形成されている。より具体的には、受け部６５は、左右方向に投影したときに、右壁５４Ｒの受け部６１に対して、右側面視反時計回り方向上流側（すなわち、左側面視時計回り方向上流側）に略９０°ずれるように配置されている（図９参照）。
【００８７】
対向部６４は、突出部６６の前側に設けられている。対向部６４は、左壁５４Ｌの右側半分において、嵌合凹部６３の内周面および左壁５４Ｌの上端縁から上側へ延びる略平板形状に形成されている。対向部６４には、ドラム軸挿通穴５８と、ワイヤクリーナ係止部６７とが形成されている。
【００８８】
ドラム軸挿通穴５８は、左右方向に投影したときに右壁５４Ｒのドラム軸挿通穴６２と一致するように、対向部６４の前後方向中央に配置され、側面視略円形状に貫通形成されている。ドラム軸挿通穴５８の内径は、右壁５４Ｒのドラム軸挿通穴６２と略同径である。
【００８９】
ワイヤクリーナ係止部６７は、対向部６４の上端部から上側へ延びる側面視略矩形の平板形状に形成されている。ワイヤクリーナ係止部６７の上端部には、係止穴６８が形成されている。
【００９０】
係止穴６８は、前後方向に延びる側面視略矩形状に貫通形成されている。
【００９１】
ドラムギア露出部６９は、嵌合凹部６３の下側において、左壁５４Ｌの後下側端部から後上側へ向かって凹むように、後下側へ向かって開放される側面視略円弧形状の凹部として形成されている。
【００９２】
下壁５５は、図２および図４に示すように、両側壁５４の下端部間に架設されるように、左右方向に長手の略平板形状に形成されている。なお、下壁５５の後端部は、ドラムギア露出部６９の前端部の下側に配置されている。
【００９３】
後壁５７は、図３および図４に示すように、下壁５５の後端部の後側に間隔を隔てて配置され、両側壁５４の後端部間に架設されるように、左右方向に長手の略平板形状に形成されている。なお、後壁５７と下壁５５との間は、用紙Ｓを感光ドラム２０と転写ローラ２１との間に導入するための給紙開口として機能する。
【００９４】
また、後壁５７には、転写ローラ支持部７０が設けられている。また、後壁５７には、ドラムギア露出開口７２が形成されている。
【００９５】
転写ローラ支持部７０は、後壁５７から後側へ膨出するように、左右方向に延びる略部分円筒形状に形成されている。転写ローラ支持部７０は、その左右方向両端部が閉鎖されるとともに、上側および前側へ向かって開放されている。転写ローラ支持部７０の右端部は、右壁５４Ｒよりも左右方向内側（左側）に配置されている。転写ローラ支持部７０の左端部は、左壁５４Ｌよりも左右方向内側（右側）に配置されている。
【００９６】
また、転写ローラ支持部７０の左右方向両端部には、それぞれ、転写ローラ軸受支持部７１が１つずつ設けられている。
【００９７】
転写ローラ軸受支持部７１は、前後方向に延び、前後両端部が開放された略角筒形状に形成されている。転写ローラ軸受支持部７１の左右方向内壁には、前後方向に延びるガイド溝７３が貫通形成されている。ガイド溝７３の溝幅（上下方向長さ）は、転写ローラ軸８６（後述）の外径よりもわずかに幅広（ほぼ同幅）である。
【００９８】
また、図２および図３に示すように、転写ローラ支持部７０の後側上端部には、突条７６と、複数（３つ）の嵌合突起７７と、係止凹部７８とが形成されている。
【００９９】
突条７６は、両転写ローラ軸受支持部７１間において、転写ローラ支持部７０の内面（前面）から前側へ向かって突出し、左右方向に延びている。
【０１００】
複数の嵌合突起７７は、転写ローラ支持部７０の左右方向略中央において、互いに左右方向に等間隔を隔てて並列配置されている。嵌合突起７７は、転写ローラ支持部７０の後側上端部の上面から上側へ向かって突出するように、後面視略矩形状に形成されている。
【０１０１】
係止凹部７８は、転写ローラ支持部７０の左右方向略中央において、転写ローラ支持部７０の後面から前側へ凹む後面視矩形状に形成されている。
【０１０２】
ドラムギア露出開口７２は、転写ローラ支持部７０の左端部と左壁５４Ｌとの間において、ドラムギア露出部６９に対応するように後面視略矩形状に貫通形成されている（図８参照）。
【０１０３】
前壁５６は、下壁５５の前端部から連続して上側へ延び、両側壁５４の前端部間に架設されるように、左右方向に長手の略平板形状に形成されている。
（２）カバーフレーム
カバーフレーム５３は、図３および図４に示すように、ベースフレーム５２の後端部の上側に配置されている。
【０１０４】
カバーフレーム５３は、図５および図６に示すように、左右方向に延び、下側および前側へ向かって開放される略角筒形状に形成されている。カバーフレーム５３は、左右１対の側壁９１と、上壁９２と、後壁９３とを備えている。
【０１０５】
右側の側壁９１（以下、右壁９１Ｒとする。）は、前後方向に延びる側面視略矩形の平板形状に形成されている。右壁９１Ｒには、突出部の一例としての嵌合凸部９４と、第２被位置決め部の一例としての被位置決め部９５とが形成されている。
【０１０６】
嵌合凸部９４は、右壁９１Ｒの下端部から下側へ向かって突出する側面視略半円形状に形成されている。嵌合凸部９４の上下方向長さ（突出長さ）は、ベースフレーム５２の右壁５４Ｒの嵌合凹部６０の上下方向長さ（深さ）よりもわずかに短い。嵌合凸部９４の前後方向長さは、ベースフレーム５２の右壁５４Ｒの嵌合凹部６０の前後方向長さよりもわずかに短い。また、嵌合凸部９４には、ドラム軸挿通穴９６が形成されている。
【０１０７】
ドラム軸挿通穴９６は、嵌合凸部９４の中心に対応するように、嵌合凸部９４の前後方向中央において、側面視略円形状に貫通形成されている。ドラム軸挿通穴９６の内径は、感光ドラム２０のドラム軸８０の外径よりもわずかに大径（ほぼ同径）である。
【０１０８】
被位置決め部９５は、嵌合凸部９４の前側において、右壁９１Ｒの下端縁から下側へ向かってわずかに膨出するように、下面が前後方向に延びる側面視略矩形状に形成されている。また、被位置決め部９５の前後方向長さは、ベースフレーム５２の右壁５４Ｒの受け部６１の前後方向長さよりも短い。
【０１０９】
また、右壁９１Ｒは、ワイヤ電極９７と、グリッド電極９８と、電極カバー９９とを備えている。
【０１１０】
ワイヤ電極９７は、右壁９１Ｒの前上側端部に配置されている。ワイヤ電極９７は、帯電ワイヤ２３に電気的に接続されている。また、ワイヤ電極９７は、複数（２つ）の接点１０４を有している。
【０１１１】
複数の接点１０４は、互いに上下方向に間隔を隔てて並列配置されている。接点１０４は、右側へ突出するように、前後方向に延びる側面視略直線形状に形成されている。
【０１１２】
グリッド電極９８は、右壁９１Ｒの後上側端部に配置され、上下方向に長手の側面視略矩形の平板形状に形成されている。なお、グリッド電極９８の右面は、ワイヤ電極９７の接点１０４よりも左右方向内側（左側）に配置されている。また、グリッド電極９８は、ワイヤ電極９７の接点１０４が延びる方向（前後方向）と直交する方向（上下方向）に延びている。グリッド電極９８は、グリッド２４に電気的に接続されている。また、グリッド電極９８の上下方向両端部には、係止爪１０２が設けられている。
【０１１３】
電極カバー９９は、右壁９１Ｒの上端部に設けられている。電極カバー９９は、ワイヤ電極９７およびグリッド電極９８を被覆するように、前後方向に延びる側面視略矩形状に形成されている。電極カバー９９には、ワイヤ電極被覆部１００と、グリッド電極露出開口１０１とが形成されている。
【０１１４】
ワイヤ電極被覆部１００は、電極カバー９９の前端部に配置され、電極カバー９９の右面から右側へ延びる略角柱形状に形成されている。ワイヤ電極被覆部１００には、接点露出開口１０３が形成されている。
【０１１５】
接点露出開口１０３は、ワイヤ電極被覆部１００の右壁において、ワイヤ電極９７の複数の接点１０４を全て露出させるように、側面視略矩形状に貫通形成されている。
【０１１６】
そして、ワイヤ電極被覆部１００内には、接点１０４が接点露出開口１０３を介して右側へ露出されるように、ワイヤ電極９７が収容されている。言い換えると、ワイヤ電極９７は、ワイヤ電極被覆部１００により、上下方向および前後方向において、外側から被覆されている。
【０１１７】
グリッド電極露出開口１０１は、電極カバー９９の後端部において、側面視略矩形状に貫通形成されている。グリッド電極露出開口１０１内には、その上下方向周縁部に係止爪１０２が係止されるように、グリッド電極９８支持されている。これにより、グリッド電極９８は、グリッド電極露出開口１０１を介して右側へ露出されている。
【０１１８】
左側の側壁９１（以下、左壁９１Ｌとする。）は、上下方向に延びる略平板形状に形成されている。左壁９１Ｌには、嵌合凸部１１１と、第１被位置決め部の一例としての被位置決め部１１２とが形成されている。
【０１１９】
嵌合凸部１１１は、左壁９１Ｌの下端部から下側へ向かって突出する側面視略矩形状に形成されている。嵌合凸部１１１の上下方向長さ（突出長さ）は、ベースフレーム５２の左壁５４Ｌの嵌合凹部６３の上下方向長さ（深さ）よりもわずかに短い。また、嵌合凸部１１１の前後方向長さは、ベースフレーム５２の左壁５４Ｌの嵌合凹部６３の前後方向長さよりもわずかに短い。また、嵌合凸部１１１には、ドラム軸挿通穴１１３が形成されている。
【０１２０】
ドラム軸挿通穴１１３は、左右方向に投影したときに右壁９１Ｒのドラム軸挿通穴９６と一致するように、嵌合凸部１１１の前後方向中央において、側面視略円形状に貫通形成されている。ドラム軸挿通穴１１３の内径は、右壁９１Ｒのドラム軸挿通穴９６の内径と同径である。
【０１２１】
被位置決め部１１２は、左壁９１Ｌの上下方向略中央において、その前端縁から前側へ向かってわずかに膨出するように、前面が上下方向に延びる側面視略矩形状に形成されている。つまり、被位置決め部１１２は、右壁９１Ｒの被位置決め部９５に対して、左側面視時計回り方向において、略９０°ずれるように配置されている。また、被位置決め部１１２の上下方向長さは、ベースフレーム５２の左壁５４Ｌの受け部６５の上下方向長さよりも短い。より具体的には、被位置決め部１１２は、左右方向に投影したときに、右壁９１Ｒの被位置決め部９５に対して、右側面視反時計回り方向上流側（すなわち、左側面視時計回り方向上流側）に略９０°ずれるように配置されている（図９参照）。
【０１２２】
上壁９２は、両側壁９１の上端部間に架設されるように、左右方向に延び、下側へ向かって開放される略角筒形状に形成されている。上壁９２の内部には、上記したスコロトロン型帯電器２２が支持されている。また、上壁９２には、通気開口１１０と、ワイヤクリーナ係止部挿通穴１１４とが形成されている。
【０１２３】
通気開口１１０は、上壁９２の上端部において、スコロトロン型帯電器２２の帯電ワイヤ２３に沿うように、左右方向に延びる略直線形状に形成されている。
【０１２４】
ワイヤクリーナ係止部挿通穴１１４は、上壁９２の左端部において、左壁９１Ｌとの境界部分に形成されている。ワイヤクリーナ係止部挿通穴１１４は、上壁９２を上下方向に貫通するように、前後方向に長手の平面視略矩形状に形成されている。
【０１２５】
また、上壁９２は、ワイヤクリーナ１１５を支持している。
【０１２６】
ワイヤクリーナ１１５は、上壁９２の上端部において、左右方向にスライド可能に支持されている。ワイヤクリーナ１１５は、平面視略矩形の平板形状に形成されている。なお、ワイヤクリーナ１１５は、通気開口１１０を介して帯電ワイヤ２３に係合されており、その係合部分において、帯電ワイヤ２３の汚れを拭う。また、ワイヤクリーナ１１５は、被係止部１１６を備えている。
【０１２７】
被係止部１１６は、ワイヤクリーナ１１５の左面から左側へ突出する略角柱形状に形成されている。被係止部１１６の上下方向外寸および前後方向外寸は、ベースフレーム５２の係止穴６８（図３参照）の上下方向内寸および前後方向内寸よりも短い。
【０１２８】
後壁９３は、上壁９２の後端部から連続して後下側へ延び、両側壁９１の後端部間に架設されるように、左右方向に長手の略平板形状に形成されている。後壁９３には、排紙開口１２１と、被覆部１２２とが形成されている。
【０１２９】
排紙開口１２１は、後壁９３の後下側端部から前上側に向かって切り欠かれるように、左右方向に長手の後面視略矩形状に形成されている。排紙開口１２１は、ベースフレーム５２の転写ローラ支持部７０（図３参照）の両転写ローラ軸受支持部７１間の部分に対応するように、後壁９３の左右方向中央部に形成されている。また、排紙開口１２１の左右方向長さは、転写ローラ支持部７０（図３参照）の両転写ローラ軸受支持部７１間の部分とほぼ同じ左右方向長さである。排紙開口１２１は、感光ドラム２０と転写ローラ２１との間を通過した用紙Ｓを排出するために用いられる。
【０１３０】
被覆部１２２は、排紙開口１２１の後下側端部を閉鎖するように、排紙開口１２１の後下側端部内に架設されている。被覆部１２２は、左右方向に延びる平面視略矩形の平板形状に形成されている。被覆部１２２の左右方向長さは、転写ローラ支持部７０（図３参照）の両転写ローラ軸受支持部７１間の部分とほぼ同じ左右方向長さである。
【０１３１】
また、被覆部１２２の後端部には、当接部１２５と、複数（３つ）の嵌合穴１２３と、係合爪１２４とが形成されている。
【０１３２】
当接部１２５は、被覆部１２２の後端縁から下側へ向かって突出し、左右方向に延びる突条として形成されている。
【０１３３】
複数の嵌合穴１２３は、被覆部１２２の左右方向略中央において、互いに左右方向に等間隔を隔てて並列配置されている。嵌合穴１２３は、平面視略矩形状に貫通形成されている。
【０１３４】
係合爪１２４は、被覆部１２２の左右方向略中央において、被覆部１２２の下面から下側へ突出し、その下端部において前側へ屈曲する略鉤形状に形成されている。
（３）転写ローラおよび感光ドラム
ドラムカートリッジ１８には、上記し、図３および図７に示すように、転写ローラ２１および感光ドラム２０が支持されている。
【０１３５】
転写ローラ２１は、転写ローラ軸８６と、ローラ本体８５と、転写ローラ軸受８７と、転写ローラ電極８８とを備えている。
【０１３６】
ローラ本体８５は、両転写ローラ軸受支持部７１間に配置されている。ローラ本体８５は、導電性の軟質樹脂（例えば、ゴムなど）から、左右方向に延びる略円筒形状に形成されている。ローラ本体８５の内径は、転写ローラ軸８６の外径と略同径である。
【０１３７】
転写ローラ軸８６は、ローラ本体８５内に相対回転不能に挿通されている。転写ローラ軸８６は、金属から左右方向に延びる略円柱形状に形成されている。また、転写ローラ軸８６は、ローラ本体８５よりも左右方向に長く形成され、その左右両端部は、ローラ本体８５から突出されている。転写ローラ軸８６の左右両端部は、それぞれ、対応する転写ローラ軸受支持部７１のガイド溝７３内に相対回転可能に嵌合されて、対応する転写ローラ軸受支持部７１内に突出されている。
【０１３８】
転写ローラ軸受８７は、転写ローラ軸８６の左端部に設けられている。転写ローラ軸受８７は、絶縁性の硬質樹脂から、左右方向に延びる略円筒形状に形成されている。転写ローラ軸受８７の内径は、転写ローラ軸８６の外径よりもわずかに大径（ほぼ同径）である。転写ローラ軸受８７は、左側の転写ローラ軸受支持部７１内において、転写ローラ軸８６に相対回転可能に外嵌（転写ローラ軸８６の径方向外側から嵌合）されている。
【０１３９】
転写ローラ電極８８は、転写ローラ軸８６の右端部に設けられている。転写ローラ電極８８は、導電性の硬質樹脂から、左右方向に延び、後側へ向かって開放される半円筒形状に形成されている。転写ローラ電極８８の内径は、転写ローラ軸８６の外径よりもわずかに大径（ほぼ同径）である。転写ローラ電極８８は、右側の転写ローラ軸受支持部７１内において、転写ローラ軸８６に対して、後側から相対回転可能に外嵌（転写ローラ軸８６の径方向外側から嵌合）されている。
【０１４０】
感光ドラム２０は、ドラム本体８１と、フランジ部材８２と、受動部材の一例としてのドラムギア８３と、ドラム軸８０とを備えている。
【０１４１】
ドラム本体８１は、転写ローラ２１の前側において、右壁５４Ｒの対向部５９と、左壁５４Ｌの対向部６４との間に配置されている。ドラム本体８１は、左右方向に延びる略円筒形状に形成されている。詳しくは、ドラム本体８１は、左右方向に延びる略円筒形状に形成される金属製の素管と、素管の表面を被覆する樹脂製の感光層とを備えている。
【０１４２】
フランジ部材８２は、ドラム本体８１の右端部に相対回転不能に嵌合されている。フランジ部材８２は、左右方向に延びる略円柱形状に形成されている。また、フランジ部材８２には、その径方向中央部において、ドラム軸８０が挿通される挿通穴（図示せず）が貫通形成されている。
【０１４３】
ドラムギア８３は、ベースフレーム５２の左壁５４Ｌと、転写ローラ支持部７０の左端部との間に配置されるように（図４参照）、ドラム本体８１の左端部に相対回転不能に嵌合されている。ドラムギア８３は、左右方向に延びる略円柱形状に形成され、その周面にギア歯を有している。また、ドラムギア８３には、その径方向中央部において、ドラム軸８０が挿通される挿通穴（図示せず）が貫通形成されている。また、ドラムギア８３の後下側端部は、左側面視において左壁５４Ｌのドラムギア露出部６９から露出されるように、ドラムギア露出開口７２を介して後下側へ露出されている（図８および図１０参照）。
【０１４４】
ドラム軸８０は、感光ドラム２０の中心軸線Ａに沿うように、ドラム本体８１内に挿通されている。ドラム軸８０は、金属から、左右方向に延びる略円柱形状に形成されている。また、ドラム軸８０は、ドラム本体８１よりも左右方向に長く形成されている。ドラム軸８０の右端部は、ベースフレーム５２の右壁５４Ｒのドラム軸挿通穴６２、および、カバーフレーム５３の右壁９１Ｒのドラム軸挿通穴９６（図９参照）に回転可能に挿通されている。また、ドラム軸８０の左端部は、ベースフレーム５２の左壁５４Ｌのドラム軸挿通穴５８、および、カバーフレーム５３の左壁９１Ｌのドラム軸挿通穴１１３（図１０参照）に回転可能に挿通されている。
（４）ドラムカートリッジの組み立て
ドラムカートリッジ１８を組み立てるには、図２および図３に示すように、まず、ベースフレーム５２上に、上記したように、転写ローラ２１および感光ドラム２０（ドラム軸８０を除く。）を組み付ける。
【０１４５】
次いで、ベースフレーム５２の後端部に、転写ローラ２１および感光ドラム２０を被覆するように、上側からカバーフレーム５３を組み合わせる。
【０１４６】
詳しくは、まず、カバーフレーム５３の係合爪１２４の先端（下端部）をベースフレーム５２の係止凹部７８内に遊嵌させるとともに、カバーフレーム５３の当接部１２５を、ベースフレーム５２の転写ローラ支持部７０の後端部上面に当接させる。
【０１４７】
その後、カバーフレーム５３の右壁９１Ｒの嵌合凸部９４を、ベースフレーム５２の右壁５４Ｒの嵌合凹部６０に嵌合させるとともに、カバーフレーム５３の左壁９１Ｌの嵌合凸部１１１をベースフレーム５２の左壁５４Ｌの嵌合凹部６３に嵌合させる。なお、このとき、ワイヤクリーナ１１５は、カバーフレーム５３の左右方向途中に配置されている。
【０１４８】
すると、ベースフレーム５２の嵌合突起７７は、それぞれ、カバーフレーム５３の対応する嵌合穴１２３内に遊嵌される。また、ベースフレーム５２のワイヤクリーナ係止部６７は、カバーフレーム５３のワイヤクリーナ係止部挿通穴１１４内に挿通される。
【０１４９】
また、図９および図１０に示すように、カバーフレーム５３の右壁９１Ｒのドラム軸挿通穴９６は、ベースフレーム５２の右壁５４Ｒのドラム軸挿通穴６２と対向される。また、カバーフレーム５３の左壁９１Ｌのドラム軸挿通穴１１３は、ベースフレーム５２の左壁５４Ｌのドラム軸挿通穴５８と対向される。
【０１５０】
また、カバーフレーム５３の右壁９１Ｒの被位置決め部９５は、ベースフレーム５２の右壁５４Ｒの受け部６１の上側に対向配置される。また、カバーフレーム５３の左壁９１Ｌの被位置決め部１１２は、ベースフレーム５２の左壁５４Ｌの受け部６５の前側に対向配置される。
【０１５１】
このとき、係止爪１２４が係止凹部７８に対して遊嵌されているので、係止爪１２４の係止凹部７８に対する遊び（間隔）の分、カバーフレーム５３の後端部において相対移動が許容されている。
【０１５２】
そして、その状態で、カバーフレーム５３の被位置決め部（９５、１１２）が、ベースフレーム５２の対応する受け部（６１、６５）に対して確実に当接される。
【０１５３】
なお、この後、ワイヤクリーナ１１５をカバーフレーム５３の左端部に配置することにより、ワイヤクリーナ１１５の被係止部１１６をワイヤクリーナ係止部６７の係止穴６８内に係止する。
【０１５４】
次いで、ドラムカートリッジ１８を組み立てるには、ベースフレーム５２およびカバーフレーム５３の各ドラム軸挿通穴（５８、６２、９６、１１３）を介して、フランジ部材８２、ドラムギア８３およびドラム本体８１にドラム軸８０を挿通する。
【０１５５】
すると、ドラム軸８０の左右方向両端部において、感光ドラム２０がベースフレーム５２およびカバーフレーム５３の回転可能に支持される。また、ベースフレーム５２とカバーフレーム５３とは、ドラム軸８０を介して一体的に連結される。
【０１５６】
これにより、ドラムカートリッジ１８の組み立てが完了する。
【０１５７】
なお、ドラムカートリッジ１８には、感光ドラム２０よりも前側（下壁５５と、前壁５６と、右壁５４Ｒおよび左壁５４Ｌの前側部分とによって区画される部分）において、現像カートリッジ１９が装着される。
３．プロセスカートリッジの本体ケーシングへの装着
（１）プロセスカートリッジの本体ケーシングへの装着動作
現像カートリッジ１９を装着したドラムカートリッジ１８（すなわち、プロセスカートリッジ１５）を本体ケーシング２に装着するには、まず、図１に示し、上記したように、本体ケーシング２のトップカバー７を開放位置に配置させる。
【０１５８】
次いで、ドラムカートリッジ１８の前壁５６の上端部を把持して、感光ドラム２０のドラム軸８０の左右方向端部を本体ケーシング２のガイド部３７に嵌合させるように、プロセスカートリッジ１５を本体ケーシング２内に挿入する。
【０１５９】
そして、プロセスカートリッジ１５を、ガイド部３７に沿って後下側へ押し込み、その後、感光ドラム２０のドラム軸８０を支点として右側面視反時計回りに回動させる。
【０１６０】
すると、プロセスカートリッジ１５の本体ケーシング２への装着が完了する直前において、プロセスカートリッジ１５の回動に伴って、本体ケーシング２内の本体側グリッド電極（図示せず）が、グリッド電極９８に対して後側から当接されるとともに、本体ケーシング２内の本体側ワイヤ電極（図示せず）が、ワイヤ電極９７に対して下側から当接される。
【０１６１】
これにより、本体側グリッド電極（図示せず）とグリッド電極９８とが電気的に接続される。また、本体側ワイヤ電極（図示せず）とワイヤ電極９７とが電気的に接続される。グリッド電極９８またはワイヤ電極９７には、本体側グリッド電極（図示せず）または本体側ワイヤ電極（図示せず）を介して、本体ケーシング２内の電源（図示せず）から電力が供給される。
【０１６２】
そして、図１に示すように、感光ドラム２０のドラム軸８０が、ガイド部３７の後端部内に配置され、プロセスカートリッジ１５の前端部が、レーザービームＬの出射軌跡よりも下側に配置されると、プロセスカートリッジ１５の本体ケーシング２への装着が完了する。
【０１６３】
その後、本体ケーシング２のトップカバー７を閉鎖位置に配置させる。
（２）プロセスカートリッジへの駆動入力
本体ケーシング２内にプロセスカートリッジ１５が装着されると、図３および図８に仮想線で示すように、本体ケーシング２内に設けられる金属製の付勢部材１３１が、転写ローラ軸受支持部７１の後端部を介して、転写ローラ２１の転写ローラ軸受８７および転写ローラ電極８８のそれぞれに後側から当接される。なお、転写ローラ電極８８には、付勢部材１３１を介して、本体ケーシング２内の電源（図示せず）から電力が供給される。
【０１６４】
これにより、転写ローラ２１は、付勢部材１３１の付勢力により、感光ドラム２０に向かうように前側へ押圧される。
【０１６５】
すなわち、図１０に示すように、左側から右側へ投影したときに、ベースフレーム５２の左壁５４Ｌの受け部６５は、前側（転写ローラ２１の感光ドラム２０への圧接方向Ｘにおける下流側）から、カバーフレーム５３の左壁５４Ｌの被位置決め部１１２を受ける。
【０１６６】
また、本体ケーシング２内にプロセスカートリッジ１５が装着されると、本体ケーシング２内に設けられる駆動ギア（図示せず）が、ドラムギア８３に後側から噛合される。
【０１６７】
そして、駆動ギア（図示せず）を介してドラムギア８３に駆動力が入力されると、その駆動力により、感光ドラム２０が左側面視時計回りに回転する（図１０中の矢印参照）。
【０１６８】
すなわち、左側から右側へ投影したときに、ベースフレーム５２の左壁５４Ｌの受け部６５は、感光ドラム２０の回転方向における下流側から、カバーフレーム５３の左壁５４Ｌの被位置決め部１１２を受ける。
【０１６９】
また、転写ローラ２１は、感光ドラム２０の回転に従動し、左側面視反時計回りに回転する。具体的には、転写ローラ２１には、ギア等が設けられておらず、転写ローラ２１は、転写ローラ２１周面と感光ドラム２０周面との圧接により生じる摩擦により回転する。
４．作用効果
（１）このドラムカートリッジ１８によれば、図９および図１０に示すように、感光ドラム２０の回転方向（左側面視時計回り方向）において、互いに略９０°ずれる位置において、カバーフレーム５３の左右両側の被位置決め部（９５、１１２）を、それぞれ、ベースフレーム５２の左右両側の受け部（６１、６５）のそれぞれに対して位置決めすることができる。具体的には、図９に破線で示すように、受け部６１と受け部６５とは、左右方向（軸線方向）に投影されたときに、感光ドラム２０の回転方向において、互いに略９０°ずれるように配置される。
【０１７０】
そのため、カバーフレーム５３が反りやねじれなどの意図しない歪みを生じた場合に、その歪みを矯正するように、前後方向および上下方向において、カバーフレーム５３をベースフレーム５２に対して位置決めすることができる。
【０１７１】
その結果、カバーフレーム５３に歪みが生じた場合においても、カバーフレーム５３のベースフレーム５２に対する位置決め精度を確保することができる。
（２）また、このドラムカートリッジ１８によれば、図１０に示すように、ベースフレーム５２の左壁５４Ｌの受け部６５は、カバーフレーム５３の左壁５４Ｌの被位置決め部１１２の前側（転写ローラ２１の感光ドラム２０への圧接方向Ｘにおける下流側）に対向配置される。
【０１７２】
そのため、転写ローラ２１の感光ドラム２０に対する圧接力を利用して、カバーフレーム５３の左壁５４Ｌの被位置決め部１１２を、ベースフレーム５２の左壁５４Ｌの受け部６５に位置決めすることができる。
【０１７３】
そのため、カバーフレーム５３の左端部を、ベースフレーム５２に対して確実に位置決めすることができる。
（３）また、このドラムカートリッジ１８によれば、図１０に示すように、感光ドラム２０の左端部において、本体ケーシング２からの駆動力が入力されるドラムギア８３を備えている。
【０１７４】
そのため、上記したように、カバーフレーム５３の左端部と、ベースフレーム５２との位置決め精度を確保し、その上で、感光ドラム２０の左端部に駆動力を入力することができる。
【０１７５】
その結果、感光ドラム２０に対する駆動入力に起因してカバーフレーム５３とベースフレーム５２とががたつくことを防止できる。
（４）また、このドラムカートリッジ１８によれば、図９に示すように、カバーフレーム５３の右壁９１Ｒの嵌合凸部９４は、側面視略半円形状に形成され、その径方向中央のドラム軸挿通穴９６において、感光ドラム２０を回転可能に支持している。
【０１７６】
そのため、感光ドラム２０を、カバーフレーム５３の右壁９１Ｒの嵌合凸部９４に回転可能に支持することができる。
【０１７７】
その結果、カバーフレーム５３の右壁９１Ｒの嵌合凸部９４の周方向において均一に、ドラム軸８０に対する摩擦力を発生させることができ、感光ドラム２０の回転速度を一定に保つことができる。
５．変形例
上記したプリンタ１は、本発明の画像形成装置の一実施形態であり、本発明は、上記した実施形態に限定されない。
【０１７８】
本発明の画像形成装置には、上記したモノクロプリンタの他、カラープリンタとして構成することもできる。
【０１７９】
画像形成装置をカラープリンタとして構成する場合には、複数の感光体と記録媒体搬送部材とを備えるダイレクト方式のタンデム型カラープリンタや、複数の感光体と、中間転写体と、転写部材とを備える中間転写方式のタンデム型カラープリンタとして構成することができる。
【０１８０】
また、プロセスカートリッジ１５は、上記したようなドラムカートリッジ１８と現像カートリッジ１９とが分離する分離型の他、ドラムカートリッジ１８と現像カートリッジ１９とを一体的に備える一体型として構成することもできる。
【０１８１】
さらに、現像カートリッジ１９は、現像ローラ３４を有するフレームに対し、トナーが収容されるトナーカートリッジが着脱自在に装着されるように構成することもできる。
【０１８２】
また、像担持体としては、上記した感光ドラム２０の他、例えば、感光ベルトなどを適用することもできる。
【０１８３】
また、上記した現像ローラ３４に代えて、例えば、現像スリーブ、現像ベルト、ブラシ状のローラなどの現像剤担持体を適用することもできる。
【０１８４】
また、上記した供給ローラ３３に代えて、例えば、供給スリーブ、供給ベルト、ブラシ状のローラなどの供給部材を適用することもできる。
【０１８５】
また、上記したアジテータ２９に代えて、例えば、オーガスクリューや搬送ベルトなどの搬送部材を適用することもできる。
【０１８６】
また、転写部材としては、上記した転写ローラ２１の他、例えば、転写ベルト、転写ブラシ、転写ブレード、フィルム型転写装置などの接触型の転写部材や、例えば、コロトロンタイプなどの非接触型の転写部材などを適用することもできる。
【０１８７】
また、上記したスコロトロン型帯電器２２に代えて、例えば、コロトロン型帯電器、鋸歯状の放電部材などの非接触型の帯電器や、帯電ローラなどの接触型の帯電器などを適用することもできる。
【０１８８】
また、上記したスキャナユニット１６に代えて、ＬＥＤユニットなどの露光部材を適用することもできる。
【０１８９】
さらに、本発明の画像形成装置は、画像読取部などを装備して、複合機として構成することもできる。
【符号の説明】
【０１９０】
１８    ドラムカートリッジ
２０    感光ドラム
２１    転写ローラ
５２    ベースフレーム
５３    カバーフレーム
６１    受け部
６５    受け部
８３    ドラムギア
９５    位置決め部
１１１  嵌合凸部
１１２  位置決め部
【図１】
2014016491.tif 000003
【図２】
2014016491.tif 000004
【図３】
2014016491.tif 000005
【図４】
2014016491.tif 000006
【図５】
2014016491.tif 000007
【図６】
2014016491.tif 000008
【図７】
2014016491.tif 000009
【図８】
2014016491.tif 000010
【図９】
2014016491.tif 000011
【図１０】
2014016491.tif 000012